(57)【要約】      （修正有）【課題】電動パワーステアリング装置において、ウォームギヤとウォームホイールの噛み合いによるフリクションの増大を防ぎながら異音を防ぎ、電動パワーステアリング装置の小型化、設計の自由度、組立性を向上する。【解決手段】電動パワーステアリング装置において、モータ３０の無回転時に、ウォームギヤ４０の先端軸４２の先端４２Ａの全周をカラー７０の拡径状内径部７２Ａの全周に着座させて該ウォームギヤ４０の中心軸を該カラー７０の中心軸と同軸の中立位置に設定し、モータ３０の回転時には、ウォームギヤ４０の歯面とウォームホイール５０の歯面の回転接触圧によりウォームホイール５０の中心軸から離隔するウォームギヤ４０の先端軸４２の先端４２Ａを、弾性体８０により付勢されているカラー７０の拡径状内径部７２Ａの周方向の一部により支持する。【選択図】図４
2010173380.tif 000002
【特許請求の範囲】
【請求項１】
電動モータの駆動軸に連結されるウォームギヤをギヤハウジングに枢支し、操舵軸の中間部に固定されてウォームギヤに噛合うウォームホイールをギヤハウジングに枢支してなる電動パワーステアリング装置において、
ウォームギヤにおける電動モータの側の基端軸が、ギヤハウジングに固定される基準軸受に支持され、
ウォームギヤにおける電動モータに対する反対側の先端軸が、ギヤハウジングに固定される先端軸受にカラーを介して支持され、
カラーは先端軸受に対して軸方向に摺動可能に挿入され、ウォームギヤの中間部に設けた支持面との間に該カラーをウォームギヤに対する反対側に向けて付勢する弾性体を予圧縮して介装し、
カラーはウォームギヤに対する反対側に向けて拡径する拡径状内周部を備え、ウォームギヤの先端軸の先端を該カラーの拡径状内径部に支持するように構成し、
モータの無回転時に、ウォームギヤの先端軸の先端の全周をカラーの拡径状内径部の全周に着座させて該ウォームギヤの中心軸を該カラーの中心軸と同軸の中立位置に設定し、
モータの回転時には、ウォームギヤの歯面とウォームホイールの歯面の回転接触圧によりウォームホイールの中心軸から離隔するウォームギヤの先端軸の先端を、弾性体により付勢されているカラーの拡径状内径部の周方向の一部により支持することを特徴とする電動パワーステアリング装置。
【請求項２】
前記基準軸受がウォームギヤの中心軸を揺動自在に支持する請求項１に記載の電動パワーステアリング装置。
【発明の詳細な説明】
【技術分野】
【０００１】
本発明は電動パワーステアリング装置に関する。
【背景技術】
【０００２】
電動パワーステアリング装置では、ステアリング軸にトーションバーを介して連結されるピニオン軸をギヤハウジングに枢支し、ピニオン軸に噛合うラック軸をギヤハウジングに直線動可能に支持し、電動モータの駆動軸に連結されるウォームギヤをギヤハウジングに枢支し、ピニオン軸の中間部に固定されてウォームギヤに噛合うウォームホイールをギヤハウジングに枢支している。電動モータは、運転者がステアリング軸に加えた操舵トルクに応じた操舵アシストトルクを、ウォームギヤとウォームホイールの噛合い、ピニオン軸とラック軸の噛合いを介してラック軸に付与するものである。
【０００３】
このような電動パワーステアリング装置では、組立時に、ウォームギヤ等の部品の寸法誤差に影響されることなくウォームギヤとウォームホイールの軸間距離を簡易に設定するととともに、組立後に、ウォームギヤとウォームホイールの噛合い時の異音が発生しないことが求められる。
【０００４】
特許文献１に記載の電動パワーステアリング装置では、ウォームギヤの先端軸を支持する軸受の外周とギヤハウジングの間に、リング体と軸受ケースを介装し、軸受ケースの内周とリング体の外周とを傾斜面を介して接触させている。そして、ウォームギヤに対する軸方向の外側に皿ばね、調整ねじを設け、調整ねじにより加圧される皿ばねを、リング体と一体の軸受の外輪の一端面に当接させている。電動パワーステアリング装置の組立時或いは組立後に、皿ばねのばね力により軸受及びリング体を軸方向に押圧し、軸受を軸受ケースの傾斜面に沿って移動させることにより、ウォームギヤをウォームホイールへ向けて偏倚させてそれらの軸間距離を調整し、ひいてはそれらのバックラッシュを除去するものである。
【先行技術文献】
【特許文献】
【０００５】
【特許文献１】特開2001-10512
【発明の概要】
【発明が解決しようとする課題】
【０００６】
特許文献１に記載の電動パワーステアリング装置には以下の問題点がある。
(1)バックラッシュ調整手段として、ウォームギヤの軸受の外周側にリング体と軸受ケースを設け、ウォームギヤの軸受の軸方向の外側に皿ばねと調整ねじを設ける。従って、ウォームギヤとウォームホィールのバックラッシュをなくすことにより両者の噛合い時の異音をなくすことはできても、両者の噛合いフリクション（噛合いに伴う摩擦抵抗）が大きくなる。
【０００７】
(2)ウォームギヤの軸受まわりの径方向と軸方向の双方向で外方サイズが大きくなり、電動パワーステアリング装置が大型になる。
【０００８】
(3)皿ばねをウォームギヤの軸受の軸方向の外側に設けるものであり、電動パワーステアリング装置の大型化を抑制しようとするとき、皿ばねの設置スペースは小さくなり、皿ばねの設計の自由度が低くなる。
【０００９】
(4)皿ばねを加圧する調整ねじは、ギヤハウジングに螺合するものであって、ねじ部を伴うものであるから、電動パワーステアリング装置の組立性が悪い。
【００１０】
本発明の課題は、電動パワーステアリング装置において、ウォームギヤとウォームホイールの噛合いによるフリクションの増大を防ぎながら異音を防ぎ、電動パワーステアリング装置の小型化、設計の自由度、組立性を向上することにある。
【課題を解決するための手段】
【００１１】
請求項１の発明は、電動モータの駆動軸に連結されるウォームギヤをギヤハウジングに枢支し、操舵軸の中間部に固定されてウォームギヤに噛合うウォームホイールをギヤハウジングに枢支してなる電動パワーステアリング装置において、ウォームギヤにおける電動モータの側の基端軸が、ギヤハウジングに固定される基準軸受に支持され、ウォームギヤにおける電動モータに対する反対側の先端軸が、ギヤハウジングに固定される先端軸受にカラーを介して支持され、カラーは先端軸受に対して軸方向に摺動可能に挿入され、ウォームギヤの中間部に設けた支持面との間に該カラーをウォームギヤに対する反対側に向けて付勢する弾性体を予圧縮して介装し、カラーはウォームギヤに対する反対側に向けて拡径する拡径状内周部を備え、ウォームギヤの先端軸の先端を該カラーの拡径状内径部に支持するように構成し、モータの無回転時に、ウォームギヤの先端軸の先端の全周をカラーの拡径状内径部の全周に着座させて該ウォームギヤの中心軸を該カラーの中心軸と同軸の中立位置に設定し、モータの回転時には、ウォームギヤの歯面とウォームホイールの歯面の回転接触圧によりウォームホイールの中心軸から離隔するウォームギヤの先端軸の先端を、弾性体により付勢されているカラーの拡径状内径部の周方向の一部により支持するようにしたものである。
【００１２】
請求項２の発明は、請求項１の発明において更に、前記基準軸受がウォームギヤの中心軸を揺動自在に支持するようにしたものである。
【発明の効果】
【００１３】
（請求項１）
(a)ウォームギヤの先端軸の先端はカラーの拡径状内径部に支持される。このとき、カラーは弾性体によりウォームギヤに対する反対側に向けて付勢されている。
【００１４】
モータ（ウォームギヤ）が無回転時に、ウォームギヤの先端軸の先端の全周をカラーの拡径状内径部の全周に着座させて該ウォームギヤの中心軸を該カラーの中心軸と同軸の中立位置に設定する。このとき、ウォームギヤとカラーの中心軸は同軸にあり、ウォームギヤとウォームホイールは適度なバックラッシュ（バックラッシュはゼロ、又は一定のバックラッシュ）を設定されている（図７（Ａ））。また、カラーは弾性体によりウォームギヤに対する反対側に向けて付勢されており、ウォームギヤとウォームホイールの軸間距離はＡ1である（図３、図４）。
【００１５】
他方、モータ（ウォームギヤ）の回転時には、ウォームギヤの歯面とウォームホイールの歯面の回転接触圧によりウォームホイールの中心軸から離隔するウォームギヤの先端軸の先端を、弾性体により付勢されているカラーの拡径状内径部の周方向の一部により支持する。このとき、ウォームギヤの先端軸の先端がカラーを弾性体の付勢力に抗して軸受から押し出すように動作し、ウォームギヤは、ウォームホイールとは反対側に偏倚する（図７（Ｂ））。これにより、モータの回転によるウォームギヤとウォームホイールの噛合い時に、それらの歯面同士の衝突を、それらの軸間距離Ａ2を増加させること（ウォームギヤをウォームホイールから逃がすこと）（バックラッシュは増加する）によって緩和し、両者の衝突による異音を低減させることができる。また、ウォームギヤとウォームホイールの軸間距離を増加させることにより、両者の噛合い時のフリクョンの増大を防ぐことができる（図５、図６）。
【００１６】
(b)フリクション及び異音防止手段を構成するカラーと弾性体が、ウォームギヤの先端軸のための先端軸受の径方向と軸方向の双方向で該先端軸受の内側に設けられる。従って、ウォームギヤのための先端軸受まわりの径方向と軸方向の双方向で電動パワーステアリング装置の外方サイズが大きくなることがなく、電動パワーステアリング装置の小型化を図ることができる。
【００１７】
(c)カラーをウォームギヤに対する反対側に向けて付勢する弾性体を、カラーと、ウォームギヤの中間部に設けた支持面との間に介装した。従って、弾性体をウォームギヤのための先端軸受の軸方向の内側に設けるものになり、電動パワーステアリング装置の小型化を図りながら、弾性体をカラーと、ウォームギヤの中間部に設けた支持面との間の空きスペースの広い範囲に設置でき、弾性体の設計の自由度が高くなる。
【００１８】
(d)フリクション及び異音防止手段の構成部品がカラーと弾性体であって、ねじ部を伴なうものがないから、電動パワーステアリング装置の組立性を向上できる。
【００１９】
(e)フリクション及び異音防止手段の構成部品たるカラーと弾性体は、電動パワーステアリング装置への組立段階で、ウォームギヤの先端側の膨出状の先端と、ウォームギヤの中間部の支持面との間に挟まれるように予組される。従って、フリクション及び異音防止手段は、ウォームギヤに上述の如くにカラーと弾性体を安定的に予組した状態で、カラーを先端軸受の内輪に挿入して組立完了でき、電動パワーステアリング装置の組立性を向上できる。
【００２０】
（請求項２）
(f)ウォームギヤの基端軸を支持する基準軸受が該ウォームギヤの中心軸を揺動自在に支持する。従って、カラーの拡径状内径部がウォームギヤをウォームホイールの側へ加圧する加圧力により、該ウォームギヤを基準軸受まわりに揺動させて該ウォームホイールの側へ偏倚させることができる。
【図面の簡単な説明】
【００２１】
【図１】図１は電動パワーステアリング装置を一部破断して示す正面図である。
【図２】図２は図１のII−II線に沿う断面図である。
【図３】図３は図２のIII−III線に沿う、ウォームギヤの中立状態を示す断面図である。
【図４】図４は図３の要部拡大断面図である。
【図５】図５はウォームギヤの偏倚状態を示す断面図である。
【図６】図６は図５の要部拡大断面図である。
【図７】図７はカラーによるウォームギヤの支持状態を示し、（Ａ）は中立状態を示す断面図、（Ｂ）は偏倚状態を示す断面図である。
【発明を実施するための形態】
【００２２】
電動パワーステアリング装置１０は、図１、図２に示す如く、不図示のブラケットにより車体フレーム等に固定されるギヤハウジング１１を有する。そして、ステアリングホイールが結合されるステアリング軸１２にトーションバー１３を介してピニオン軸１４を同軸上に連結し、このピニオン軸１４にピニオン１５を設け、このピニオン１５に噛合うラック１６Ａを備えたラック軸１６をギヤハウジング１１に左右直線動可能に支持している。ステアリング軸１２とピニオン軸１４の間には、操舵トルク検出装置１７を設けてある。尚、ステアリング軸１２とピニオン軸１４は軸受１２Ａ、１４Ａ、１４Ｂを介してギヤハウジング１１に支持される。
【００２３】
操舵トルク検出装置１７は、図２に示す如く、ステアリング軸１２、ピニオン軸１４に係合している円筒状のコア１７Ｃを囲む２個の検出コイル１７Ａ、１７Ｂをギヤハウジング１１に設けている。コア１７Ｃは、ピニオン軸１４のガイドピン１７Ｄに係合する縦溝１７Ｅを備えて軸方向にのみ移動可能とされるとともに、ステアリング軸１２のスライダピン１７Ｆに係合するスパイラル溝１７Ｇを備える。これにより、運転者がステアリングホイールに加えた操舵トルクがステアリング軸１２に付与され、トーションバー１３の弾性ねじり変形により、ステアリング軸１２とピニオン軸１４の間に回転方向の相対変位を生ずると、ステアリング軸１２とピニオン軸１４の回転方向の変位がコア１７Ｃを軸方向に変位させるものとなり、このコア１７Ｃの変位による検出コイル１７Ａ、１７Ｂの周辺の磁気的変化に起因する検出コイル１７Ａ、１７Ｂのインダクタンスが変化する。即ち、コア１７Ｃがステアリング軸１２側へ移動すると、コア１７Ｃが近づく方の検出コイル１７Ａのインダクタンスが増加し、コア１７Ｃが遠ざかる方の検出コイル１７Ｂのインダクタンスが減少し、このインダクタンスの変化により操舵トルクを検出できる。
【００２４】
ギヤハウジング１１内でラック軸１６の一端を挟んでピニオン１５と相対する部分に設けられているシリンダ部１８には、図２に示す如く、ラックガイド１９が内蔵され、ラックガイド１９（ブッシュ１９Ａ）はシリンダ部１８に被着されるキャップ２０により背面支持されるばね２１によりラック軸１６の側に弾発され、ラック軸１６のラック１６Ａをピニオン１５に押し付けるとともに、ラック軸１６の一端を摺動自在に支持する。尚、ラック軸１６の他端側は軸受２２により支持される。また、ラック軸１６の中間部には連結ボルト２２Ａ、２２Ｂにより左右のタイロッド２３Ａ、２３Ｂが連結される。
【００２５】
ギヤハウジング１１には、図３に示す如く、電動モータ３０のモータケース３１が取付けられる。電動モータ３０の駆動軸３２にはウォームギヤ４０がスプライン結合され、ウォームギヤ４０は後述される軸受６１、６２によりギヤハウジング１１に両端支持される。ウォームギヤ４０はウォームホイール５０と噛合い、ウォームホイール５０をピニオン軸１４（操舵軸）の中間部に固定してある。電動モータ３０は操舵トルク検出装置１７が検出した操舵トルクに基づいて駆動され、この電動モータ３０の発生トルクが、ウォームギヤ４０とウォームホイール５０の噛合い、ピニオン１５とラック１６Ａの噛合いを介してラック軸１６に操舵アシストトルクになって付与され、運転者がステアリング軸１２に付与する操舵トルクをアシストする。
【００２６】
しかるに、電動パワーステアリング装置１０は、ウォームギヤ４０をギヤハウジング１１に対して図４、図５に示す如くに支持し、ウォームギヤ４０とウォームホール５０のフリクション及び異音防止手段６０を以下の如く具備する。
【００２７】
ウォームギヤ４０における電動モータ３０の側に突設してある基端軸４１が、ギヤハウジング１１に固定される基準軸受６１に支持される。基準軸受６１は例えば玉軸受からなり、外輪をギヤハウジング１１に設けた孔に嵌合され、外輪の一端面を孔の一側に設けた段差面に突き当て支持され、孔の他側に螺着したナット６１Ａにより外輪の他端面を押し当て支持される。ウォームギヤ４０の基端軸４１は基準軸受６１の内輪に挿通され、基端軸４１のウォームギヤ４０寄りに設けてあるフランジ部４１Ｆを内輪の一端面に突き当て支持され、基端軸４１の電動モータ３０寄りに螺着したナット６１Ｂにより内輪の他端面を押し当て支持される。ウォームギヤ４０の基端軸４１は基準軸受６１の内輪に圧入又はかしめ等により締結されても良い。このようにして、ウォームギヤ４０の基端軸４１は基準軸受６１の内輪に固定され、基端軸４１の先端４１Ａを電動モータ３０の駆動軸３２にスプライン連結される。ウォームギヤ４０に作用する軸方向荷重は基準軸受６１により支持される。
【００２８】
尚、基準軸受６１は例えばアンギュラ玉軸受からなり、ウォームギヤ４０の中心軸（基端軸４１及び後述する先端軸４２）をギヤハウジング１１に対して揺動自在に支持する。
【００２９】
ウォームギヤ４０における電動モータ３０に対する反対側に突設してある先端軸４２（基端軸４１と同軸をなす）が、ギヤハウジング１１に固定される先端軸受６２にカラー７０を介して支持される。先端軸受６２の支持中心６２Ｃ（カラー７０の中心軸７０Ｃと同じ）は、基準軸受６１の支持中心６１Ｃと同軸配置される。先端軸受６２は例えば玉軸受からなる、外輪をギヤハウジング１１に設けた孔に圧入固定される。
【００３０】
カラー７０は先端軸受６２の内輪の内周に対して軸方向に摺動可能に挿入され（カラー７０は先端軸受６０の内輪に対して相対回転しない）、先端軸受６２の内輪からウォームギヤ４０の側に突出している側に設けたフランジ部７１と、ウォームギヤ４０の先端軸４２寄りの中間部に設けたフランジ状支持面４３との間に、該カラー７０をウォームギヤ４０に対する反対側に向けて付勢する弾性体８０を予圧縮状態で介装する。弾性体８０は、図７に示す如く、２枚の環状鋼板８１、８２に環状ゴム８３（皿ばね等でも可）を接着して挟んで構成される。弾性体８０は、カラー７０のフランジ部７１とウォームギヤ４０の支持面４３との間で、ウォームギヤ４０の先端軸４２まわりに設置される。弾性体８０の鋼板８１と鋼板８２は、カラー７０のフランジ部７１とウォームギヤ４０の支持面４３に対してそれらの回転方向で僅かな摺動を伴なう。
【００３１】
カラー７０は先端軸受６２へ挿入されて弾性体８０によりウォームギヤ４０に対する反対側へ向けて付勢可能にされる組込状態下で、ウォームギヤ４０に対する反対側に向けて拡径するテーパ状（Ｒ状でも可）の拡径状内径部７２Ａを備え、ギヤハウジング１１に組込みされるウォームギヤ４０の先端軸４２の膨出状先端４２Ａをカラー７０の拡径状内径部７２Ａに押当て支持する。ウォームギヤ４０の先端軸４２の先端４２Ａはカラー７０の拡径状内径部７２Ａに対して軸方向には摺動自在に支持され、回転方向には概ね転動（僅かな摺動を伴なう）支持される。
【００３２】
尚、ウォームギヤ４０の先端軸４２の先端４２Ａはカラー７０の拡径状内径部７２Ａに支持されるＲ状又はテーパ状の面取部４２Ｂを備える。また、ウォームギヤ４０の先端軸４２の先端４２ＡはグリースＧを介してカラー７０の拡径状内径部７２Ａに支持される。
【００３３】
カラー７０は、拡径状内径部７２Ａの小径端につながるストレート状内径部７２Ｂをフランジ部７１の側に備える。
【００３４】
フリクション及び異音防止手段６０によるウォームギヤ４０とウォームホイール５０のバックラッシュ調整動作は以下の如くである。
【００３５】
ウォームギヤ４０の先端軸４２の先端４２Ａはカラー７０の拡径状内径部７２Ａに支持される。このとき、カラー７０は弾性体８０によりウォームギヤ４０に対する反対側に向けて付勢されている。
【００３６】
モータ３０（ウォームギヤ４０）が無回転時に、ウォームギヤ４０の先端軸４２の先端４２Ａの全周をカラー７０の拡径状内径部７２Ａの全周に着座させて該ウォームギヤ４０の中心軸を該カラー７０の中心軸と同軸の中立位置に設定する。このとき、ウォームギヤ４０とカラー７０の中心軸は同軸にあり、ウォームギヤ４０とウォームホイール５０は適度なバックラッシュ（バックラッシュはゼロ、又は一定のバックラッシュ）を設定されている（図７（Ａ））。また、カラー７０は弾性体８０によりウォームギヤ４０に対する反対側に向けて付勢されており、ウォームギヤ４０とウォームホイール５０の軸間距離はＡ1である（図３、図４）。
【００３７】
他方、モータ３０（ウォームギヤ４０）の回転時には、ウォームギヤ４０の歯面とウォームホイール５０の歯面の回転接触圧によりウォームホイール５０の中心軸から離隔するウォームギヤ４０の先端軸４２の先端４２Ａを、弾性体８０により付勢されているカラー７０の拡径状内径部７２Ａの周方向の一部により支持する。このとき、ウォームギヤ４０の先端軸４２の先端４２Ａがカラー７０を弾性体８０の付勢力に抗して軸受６２から押し出すように動作し、ウォームギヤ４０は、ウォームホイール５０とは反対側に偏倚する（図７（Ｂ））。これにより、モータ３０の回転によるウォームギヤ４０とウォームホイール５０の噛合い時に、それらの歯面同士の衝突を、それらの軸間距離Ａ2を増加させること（ウォームギヤ４０をウォームホイール５０から逃がすこと）（バックラッシュは増加する）によって緩和し、両者の衝突による異音を低減させることができる。また、ウォームギヤ４０とウォームホイール５０の軸間距離を増加させることにより、両者の噛合い時のフリクョンの増大を防ぐことができる（図５、図６）。
【００３８】
本実施例によれば、以下の作用効果を奏する。
(i)フリクション及び異音防止手段６０を構成するカラー７０と弾性体８０が、ウォームギヤ４０の先端軸４２のための先端軸受６２の径方向と軸方向の双方向で該先端軸受６２の内側に設けられる。従って、ウォームギヤ４０のための先端軸受６２まわりの径方向と軸方向の双方向で電動パワーステアリング装置１０の外方サイズが大きくなることがなく、電動パワーステアリング装置１０の小型化を図ることができる。
【００３９】
(ii)カラー７０をウォームギヤ４０に対する反対側に向けて付勢する弾性体８０を、カラー７０と、ウォームギヤ４０の中間部に設けた支持面４３との間に介装した。従って、弾性体８０をウォームギヤ４０のための先端軸受６２の軸方向の内側に設けるものになり、電動パワーステアリング装置１０の小型化を図りながら、弾性体８０をカラー７０と、ウォームギヤ４０の中間部に設けた支持面４３との間の空きスペースの広い範囲に設置でき、弾性体８０の設計の自由度が高くなる。
【００４０】
(iii)フリクション及び異音防止手段６０の構成部品がカラー７０と弾性体８０であって、ねじ部を伴なうものがないから、電動パワーステアリング装置１０の組立性を向上できる。
【００４１】
(iv)フリクション及び異音防止手段６０の構成部品たるカラー７０と弾性体８０は、電動パワーステアリング装置１０への組立段階で、ウォームギヤ４０の先端側の膨出状の先端４２Ａと、ウォームギヤ４０の中間部の支持面４３との間に挟まれるように予組される。従って、フリクション及び異音防止手段６０は、ウォームギヤ４０に上述の如くにカラー７０と弾性体８０を安定的に予組した状態で、カラー７０を先端軸受６２の内輪に挿入して組立完了でき、電動パワーステアリング装置１０の組立性を向上できる。
【００４２】
(v)ウォームギヤ４０の基端軸４１を支持する基準軸受６１が該ウォームギヤ４０の中心軸を揺動自在に支持する。従って、カラー７０の拡径状内径部７２Ａがウォームギヤ４０をウォームホイールの側へ加圧する加圧力により、該ウォームギヤ４０を基準軸受６１まわりに揺動させて該ウォームホイールの側へ偏倚させることができる。
【００４３】
(vi)ウォームギヤ４０の先端軸４２の先端がカラー７０の拡径状内径部７２Ａに支持されるＲ状又はテーパ状の面取部を備える。従って、ウォームギヤ４０の先端軸４２の先端をカラー７０の拡径状内径部７２Ａにより安定的に支持できる。
【００４４】
(vii)ウォームギヤ４０の先端軸４２の先端がグリースＧを介してカラー７０の拡径状内径部７２Ａに支持される。従って、ウォームギヤ４０の先端軸４２の先端をカラー７０の拡径状内径部７２Ａにより支持する摺動フリクションを低減して安定的に支持できる。
【００４５】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００４６】
本発明は、電動パワーステアリング装置において、ウォームギヤとウォームホイールの噛合いによるフリクションの増大を防ぎながら異音を防ぎ、電動パワーステアリング装置の小型化、設計の自由度、組立性を向上することができる。
【符号の説明】
【００４７】
１０  電動パワーステアリング装置
１１  ギヤハウジング
１４  ピニオン軸（操舵軸）
３０  電動モータ
３２  駆動軸
４０  ウォームギヤ
４１  基端軸
４２  先端軸
４２Ａ  先端
４２Ｂ  面取部
４３  支持面
５０  ウォームホイール
６１  基準軸受
６２  先端軸受
７０  カラー
７１  フランジ部
７２Ａ  拡径状内径部
８０  弾性体
【図１】
2010173380.tif 000003
【図２】
2010173380.tif 000004
【図３】
2010173380.tif 000005
【図４】
2010173380.tif 000006
【図５】
2010173380.tif 000007
【図６】
2010173380.tif 000008
【図７】
2010173380.tif 000009